(57)【要約】【課題】宅内側装置の電源断通知機能を試験する。【解決手段】通信システム１０は、局側装置１２と宅内側装置１４との間で通信する。局側装置１２は、宅内側装置１４に電源断通知機能の試験を指示する試験指示部２７を備える。宅内側装置１４は、電源断時に電源断通知を発出するための電力を蓄える電源断通知用コンデンサ３０と、試験指示部２７から電源断通知機能の試験を指示されたとき、宅内側装置１４の電源を断にする電源断部３２と、宅内側装置１４の電源が断になったとき、電源断通知用コンデンサ３０に蓄えられた電力を用いて、局側装置１４に電源断通知を発出する通知部２３とを備える。【選択図】図２
2014096652.tif 000002
【特許請求の範囲】
【請求項１】
局側装置と宅内側装置との間で通信する通信システムであって、
前記局側装置は、前記宅内側装置に電源断通知機能の試験を指示する試験指示部を備え、  前記宅内側装置は、
電源断時に電源断通知を発出するための電力を蓄える蓄電部と、
前記試験指示部から電源断通知機能の試験を指示されたとき、前記宅内側装置の電源を断にする電源断部と、
前記宅内側装置の電源が断になったとき、前記蓄電部に蓄えられた電力を用いて、前記局側装置に電源断通知を発出する通知部と、
を備えることを特徴とする通信システム。
【請求項２】
前記局側装置は、前記宅内側装置に電源断通知機能の試験を指示した後、前記宅内側装置から電源断通知を受信した場合、前記宅内側装置の電源断通知機能が正常であると判定する判定部をさらに備えることを特徴とする請求項１に記載の通信システム。
【請求項３】
前記判定部は、前記宅内側装置に電源断通知機能の試験を指示した後、前記宅内側装置から電源断通知を受信しない場合、前記宅内側装置の電源断通知機能が異常であることを示す警報を発出することを特徴とする請求項２に記載の通信システム。
【請求項４】
前記蓄電部は、コンデンサであることを特徴とする請求項１から３のいずれかに記載の通信システム。
【請求項５】
前記試験指示部は、所定の時間間隔で前記宅内側装置に電源断通知機能の試験を指示することを特徴とする請求項１から４のいずれかに記載の通信システム。
【請求項６】
前記局側装置は、前記宅内側装置と通信している主信号の有無を確認し、主信号の通信が無い場合に前記宅内側装置に電源断通知機能の試験を指示することを特徴とする請求項１から５のいずれかに記載の通信システム。
【請求項７】
前記電源断部は、前記宅内側装置が主信号の処理をしている間に電源断通知機能の試験を指示された場合、電源断を実行しないことを特徴とする請求項１から６のいずれかに記載の通信システム。
【請求項８】
前記通知部は、前記宅内側装置が主信号の処理をしている間に電源断通知機能の試験を指示された場合、前記局側装置に試験を実行できないことを通知することを特徴とする請求項７に記載の通信システム。
【請求項９】
局側装置と通信する宅内側装置であって、
電源断時に電源断通知を発出するための電力を蓄える蓄電部と、
前記局側装置から電源断通知機能の試験を指示されたとき、前記宅内側装置の電源を断にする電源断部と、
前記宅内側装置の電源が断になったとき、前記蓄電部に蓄えられた電力を用いて、前記局側装置に電源断通知を発出する通知部と、
を備えることを特徴とする宅内側装置。
【請求項１０】
前記電源断部は、前記宅内側装置が主信号の処理をしている間に電源断通知機能の試験を指示された場合、電源断を実行しないことを特徴とする請求項９に記載の宅内側装置。
【請求項１１】
前記通知部は、前記宅内側装置が主信号の処理をしている間に電源断通知機能の試験を指示された場合、前記局側装置に試験を実行できないことを通知することを特徴とする請求項１０に記載の宅内側装置。
【請求項１２】
宅内側装置の電源断通知機能を試験する方法であって、
電源断時に電源断通知を発出するための電力を蓄えるステップと、
前記宅内側装置に電源断通知機能の試験を指示するステップと、
電源断通知機能の試験を指示されたとき、前記宅内側装置の電源を断にするステップと、
前記宅内側装置の電源が断にされたとき、蓄えられた電力を用いて、電源断通知を発出するステップと、
を備えることを特徴とする電源断通知機能試験方法。
【請求項１３】
電源断通知機能の試験指示は、所定の時間間隔で行われることを特徴とする請求項１２に記載の電源断通知機能試験方法。
【請求項１４】
前記宅内側装置の電源を断にするステップにおいて、前記宅内側装置が主信号の処理をしている間に電源断通知機能の試験を指示された場合、電源断を実行しないことを特徴とする請求項１２または１３に記載の電源断通知機能試験方法。
【請求項１５】
前記宅内側装置の電源を断にするステップにおいて、前記宅内側装置が主信号の処理をしている間に電源断通知機能の試験を指示された場合、試験を実行できないこと示す通知を発することを特徴とする請求項１４に記載の電源断通知機能試験方法。
【発明の詳細な説明】
【技術分野】
【０００１】
本発明は、局側装置と宅内側装置との間で通信する通信システムに関する。
【背景技術】
【０００２】
従来より、局側装置と宅内側装置との間で通信する通信システム（例えば、ＰＯＮ（Passive Optical Network）システム）が知られている。このような通信システムでは、システムの正常性を確認するために、局側装置と宅内側装置との間でフレームの折り返し試験が行われている（例えば特許文献１参照）。
【先行技術文献】
【特許文献】
【０００３】
【特許文献１】特開２００７−１４２５２９号公報
【発明の概要】
【発明が解決しようとする課題】
【０００４】
図１は、局側装置１２０と宅内側装置１１０との間で通信する通信システム１００の一例を示す。図１に示すように、局側装置１２０と宅内側装置１１０は、光ファイバ１３０により接続されている。宅内側装置１１０は、光モジュール１１１、処理部１１２、ユーザＩＦ終端部１１３、パケットバッファ１１４、電源部１１５、電源監視部１１６、電源断通知用コンデンサ１１７などから構成されている。
【０００５】
図１に示すように、宅内側装置１１０は、電源（例えば１２Ｖの電源）から電力の供給を受けて動作する。電源部１１５は、電源からの電圧（例えば１２Ｖ）を宅内側装置１１０装置内の各部品に適した電圧（例えば３．３Ｖ）に変換し、宅内側装置１１０内の各部品に供給する。
【０００６】
図１に示すような通信システム１００では、ユーザが宅内側装置１１０の電源を断にした場合、局側装置１２０では回線断が検出される。回線断が障害によるものか電源断によるものか局側装置１２０が判断できるように、宅内側装置１１０には通常、電源断通知機能が搭載されている
【０００７】
図１に示す宅内側装置１１０においては、このような電源断通知機能を実現するために、電源監視部１１６と、電源断通知用コンデンサ１１７とが設けられている。電源監視部１１６は、電源断の発生を監視しており、監視結果を処理部１１２に通知する。電源断通知用コンデンサ１１７は、電源と電源部１１５との間に設けられており、電源断時に電源断通知を発出するための電力を蓄える。電源監視部１１６により電源断が検出された場合、処理部１１２は、電源断通知用コンデンサ１１７に蓄えられた電力を用いて、光モジュール１１１から局側装置１２０に電源断の発生を通知する。これにより、局側装置１２０は、宅内側装置１１０の回線断が電源断によるものであると判定できる。
【０００８】
上記のような宅内側装置１１０では、電源断通知に必要な電力を蓄えるために、電源断通知用コンデンサ１１７として大容量のものを用いる必要がある。大容量の電源断通知用コンデンサ１１７としては、アルミ電解コンデンサを使用するのが一般的であるが、アルミ電解コンデンサは有寿命部品のため、長時間使用していると故障する可能性が高い。電源断通知用コンデンサ１１７が故障した状態で宅内側装置１１０の電源を断にすると電源断通知を発出できないので、局側装置１２０は回線断発生と誤判定し、不要な警報を発出する可能性がある。
【０００９】
本発明はこうした状況に鑑みてなされたものであり、その目的は、局側装置と宅内側装置との間で通信する通信システムにおいて、宅内側装置の電源断通知機能を試験できる技術を提供することにある。
【課題を解決するための手段】
【００１０】
上記課題を解決するために、本発明のある態様の通信システムは、局側装置と宅内側装置との間で通信する通信システムであって、局側装置は、宅内側装置に電源断通知機能の試験を指示する試験指示部を備える。宅内側装置は、電源断時に電源断通知を発出するための電力を蓄える蓄電部と、試験指示部から電源断通知機能の試験を指示されたとき、宅内側装置の電源を断にする電源断部と、宅内側装置の電源が断になったとき、蓄電部に蓄えられた電力を用いて、局側装置に電源断通知を発出する通知部とを備える。
【００１１】
本発明の別の態様は、宅内側装置である。この装置は、局側装置と通信する宅内側装置であって、電源断時に電源断通知を発出するための電力を蓄える蓄電部と、局側装置から電源断通知機能の試験を指示されたとき、宅内側装置の電源を断にする電源断部と、宅内側装置の電源が断になったとき、蓄電部に蓄えられた電力を用いて、局側装置に電源断通知を発出する通知部とを備える。
【００１２】
本発明のさらに別の態様は、電源断通知機能試験方法である。この方法は、宅内側装置の電源断通知機能を試験する方法であって、電源断時に電源断通知を発出するための電力を蓄えるステップと、宅内側装置に電源断通知機能の試験を指示するステップと、電源断通知機能の試験を指示されたとき、宅内側装置の電源を断にするステップと、宅内側装置の電源が断にされたとき、蓄えられた電力を用いて、電源断通知を発出するステップとを備える。
【００１３】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１４】
本発明によれば、局側装置と宅内側装置との間で通信する通信システムにおいて、宅内側装置の電源断通知機能を試験できる。
【図面の簡単な説明】
【００１５】
【図１】局側装置と宅内側装置との間で通信する通信システムの一例を示す図である。
【図２】本発明の実施形態に係る通信システムを示す図である。
【図３】電源断部の構成の一例を示す図である。
【発明を実施するための形態】
【００１６】
図２は、本発明の実施形態に係る通信システム１０を示す図である。本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１７】
図１に示すように、通信システム１０は、局側装置１２と宅内側装置１４との間で通信する通信システムである。局側装置１２と宅内側装置１４は光ファイバ１６を介して接続されている。本実施形態において、宅内側装置１４は、電源が断されたことを局側装置１２に通知する電源断通知機能を有する。
【００１８】
本実施形態に係る通信システム１０は、例えば複数のユーザで１本の光ファイバを共用するＰＯＮシステムであってよい。ＰＯＮシステムとした場合、局側装置１２と宅内側装置１４との間に光スプリッタ（図示せず）が設けられ、該光スプリッタを介して局側装置１２と複数の宅内側装置１４とが接続される。
【００１９】
まず、局側装置１２の構成について説明する。図２に示すように、局側装置１２は、処理部１３と、光モジュール１５とを備える。
【００２０】
光モジュール１５は、宅内側装置１４から光ファイバ１６を介して伝送された上り光信号を電気信号に変換する光受信部、処理部１３からの電気信号を光電変換し、下り光信号として光ファイバ１６を介して宅内側装置１４に送信する光送信部、上り光信号および下り光信号を合分波する合分波部などから構成される。
【００２１】
処理部１３は、試験指示部２７と、判定部２９と、主信号処理部３１とを備える。試験指示部２７は、所定の時間間隔）で、宅内側装置１４に電源断通知機能が正常であるか否かの試験（以下、「電源断通知機能試験」と呼ぶ）を指示する。例えば、ＰＯＮシステムであれば、試験指示部２７は、ＯＡＭ（operation, Administration, and Maintenance）フレームを用いて宅内側装置１４に電源断通知機能試験を指示してよい。所定の時間間隔は、例えば１時間に１回、１日に１回、１週間に１回などであってよい。ＯＡＭフレームは、光モジュール１５により光信号に変換され、光ファイバ１６を介して宅内側装置１４に送られる。
【００２２】
判定部２９は、宅内側装置１４から受信した電源断通知に基づいて、宅内側装置１４の電源断通知機能が正常であるか否かを判定する。主信号処理部３１は、宅内側装置１４に送信する主信号および宅内側装置１４から受信した主信号に所定のデジタル信号処理を施す。
【００２３】
次に、宅内側装置１４の構成について説明する。宅内側装置１４は、光モジュール１８と、処理部２０と、ユーザＩＦ終端部２２と、パケットバッファ２４と、電源部２６と、電源監視部２８と、電源断通知用コンデンサ３０と、電源断部３２とを備える。
【００２４】
光モジュール１８は、局側装置１２から光ファイバ１６を介して伝送された下り光信号を電気信号に変換する光受信部、処理部２０からの電気信号を光電変換し、上り光信号として光ファイバ１６を介して宅内側装置１４に送信する光送信部、上り光信号および下り光信号を合分波する合分波部などから構成される。
【００２５】
処理部２０は、制御部２１と、通知部２３と、主信号処理部２５とを備える。制御部２１は、ＯＡＭフレームの処理を行う。主信号処理部２５は、局側装置１２に送信する主信号および局側装置１２から受信した主信号に所定のデジタル信号処理を施す。通知部２３は、宅内側装置１４の電源が断になったとき、電源断通知用コンデンサ３０に蓄えられた電力を用いて、局側装置１２に電源断通知を発出する。電源断は、電源監視部２８により検出される。
【００２６】
処理部２０には、ユーザＩＦ終端部２２およびパケットバッファ２４が接続されている。ユーザＩＦ終端部２２は、ユーザＩＦ（Interface）と接続されており、ユーザＩＦに出力する主信号およびユーザＩＦから受信した主信号に所定の終端処理を施す。パケットバッファ２４は、送受信する主信号をバッファリングする。
【００２７】
宅内側装置１４は、電源（例えば１２Ｖの電源）から電力の供給を受けて動作する。電源部２６は、電源からの電圧（例えば１２Ｖ）を宅内側装置１４内の各部品に適した電圧（例えば３．３Ｖ）に変換し、宅内側装置１４内の各部品に供給する。
【００２８】
電源断通知用コンデンサ３０は、電源断時に電源断通知を発出するための電力を蓄える蓄電部として機能する。電源断通知用コンデンサ３０は、電源と電源部２６との間に設けられており、電源から供給された電荷を常時蓄える。電源断通知用コンデンサ３０を設けたことにより、電源から給電が断となった場合であっても宅内側装置１４内の各部品への給電は短時間維持される。電源断通知用コンデンサ３０は、電源断通知に必要な電力を蓄えるために、大容量が要求される。電源断通知用コンデンサ３０は、例えばアルミ電解コンデンサであってよい。なお、蓄電部はコンデンサに限定されず、少なくとも１回電源断通知を発出できる電力を蓄えられるデバイスであれば適用できる。このようなデバイスとしては、例えばバッテリを例示できる。
【００２９】
電源監視部２８は、電源断の発生を監視しており、監視結果を処理部２０に報告する。電源監視部２８は、電源断通知用コンデンサ３０と並列に設けられている。電源断は、例えばユーザが宅内側装置１４のプラグをコンセントから抜いたときに発生する。電源監視部２８は、例えば電源からの電圧（例えば１２Ｖ）を監視しており、この電圧が所定値以下に低下した場合に電源断を検出する。
【００３０】
電源断部３２は、局側装置１２の試験指示部２７から電源断通知機能試験を指示されたとき、宅内側装置１４の電源を断にする。電源断部３２は、電源断通知用コンデンサ３０および電源監視部２８よりも上流、すなわち、電源と、電源断通知用コンデンサ３０および電源監視部２８との間に設けられている。処理部２０の制御部２１は、局側装置１２からの電源断通知機能試験を指示するフレームを受信したとき、例えばＧＰＩＯ（General Purpose Input/Output)等を用いて電源断部３２に電源断を指示する。指示を受けた電源断部３２は、瞬間的に電源から宅内側装置１４への給電を断にする。
【００３１】
図３は、電源断部３２の構成の一例を示す。図３に示すように、電源断部３２は、Ｐ型ＦＥＴ３３と、リセットＩＣ３４と、フォトカプラ３５と、プルアップ抵抗３６，３７と、電流制限抵抗３８とから構成されている。Ｐ型ＦＥＴ３３のソースには電源が接続されており、ゲートにはリセットＩＣ３４の出力が接続されており、ドレインには電源断通知用コンデンサ３０が接続されている。リセットＩＣ３４の出力は、フォトカプラ３５の出力に接続されており、フォトカプラ３５の入力には処理部２０の制御部２１から電流制限抵抗３８を介してＨｉ／Ｌｏ電圧が入力される。リセットＩＣ３４の入力および出力は、プルアップ抵抗３６および３７により電源電圧にプルアップされている。
【００３２】
局側装置１２の試験指示部２７から電源断通知機能試験の指示フレームを受信すると、宅内側装置１４の処理部２０の制御部２１は、例えばＧＰＩＯ等を使用して電源断部３２の入力にＨｉ電圧を出力する。すると、電源分離用のフォトカプラ３５を介してＬｏ電圧がリセットＩＣ３４に入力され、リセットＩＣ３４がリセット状態となる。リセットＩＣ３４は、リセットされると一定時間Ｐ型ＦＥＴ３３のゲートにＬｏ電圧を出力するので、Ｐ型ＦＥＴ３３が一定時間断となる。その結果、電源から電源断通知用コンデンサ３０への給電が一定時間断となる。このとき、電源監視部２８は、電源断を検出して処理部２０に報告する。報告を受けた処理部２０の通知部２３は、電源断を通知するフレームを発出する。このフレームは、光モジュール１８から光ファイバ１６を介して局側装置１２に送信される。局側装置１２の光モジュール１５で受信された電源断通知フレームは、処理部１３の判定部２９に送られる。なお、電源断となった後の各部の動作は、電源断通知用コンデンサ３０に蓄えられた電力を用いて行われる。すなわち、電源断となった後、電源断通知用コンデンサ３０に蓄えられた電荷が電源部２６に放電され、電源部２６を介して各部に供給される。
【００３３】
判定部２９は、宅内側装置１４から受信した電源断通知に基づいて、宅内側装置１４の電源断通知機能が正常であるか否かを判定する。すなわち、判定部２９は、宅内側装置１４に電源断通知機能試験を指示した後、所定時間内に宅内側装置１４から電源断通知を受信した場合、宅内側装置の電源断通知機能が正常であると判定する。電源断通知が送られてくるということは、電源断通知用コンデンサ３０などの電源断通知機能を実現する構成要素が正常であると判断できるからである。一方、判定部２９は、宅内側装置１４に電源断通知機能試験を指示した後、所定時間内に宅内側装置１４から電源断通知を受信しない場合、前記宅内側装置の電源断通知機能が異常であると判定する。電源断通知機能試験を指示したにもかかわらず電源断通知が送られてこないということは、電源断通知用コンデンサ３０などの構成要素に故障が生じていると判断できるからである。判定部２９は、電源断通知機能が異常であると判定した場合、例えば管理者に警報を発出してもよい。
【００３４】
このように本実施形態に係る通信システム１０によれば、宅内側装置１４の電源断通知機能を試験することができる。定期的に電源断通知機能試験を行うことにより、宅内側装置１４の電源断通知機能に異常が発生したことを早期に検出することができ、宅内側装置１４の修理・交換等の措置をとることができる。その結果、局側装置１２は、宅内側装置１４の回線断が電源断によるものであるか、あるいは他の要因によるものであるかを適切に判定できる。
【００３５】
本実施形態において、宅内側装置１４の電源断部３２は、主信号処理部２５が主信号の処理をしている間に局側装置１２から電源断通知機能試験を指示された場合、電源断を実行しなくてもよい。局側装置１２は、宅内側装置１４が主信号の処理をしているか否かにかかわらず定期的に電源断通知機能試験を指示してくる。主信号処理部２５が主信号を処理中に電源を断としてしまうと、主信号処理が中断されてしまうという不具合が生じるので、そのような場合には、制御部２１は電源断部３２に電源断を指示しない。これにより、主信号処理が中断される事態を回避できる。
【００３６】
さらに、主信号処理部２５が主信号の処理をしている間に局側装置１２から電源断通知機能試験を指示された場合、通知部２３は、電源断通知機能試験を実行できないことを通知するフレームを局側装置１２に発出してもよい。この通知を受けた場合、局側装置１２の判定部２９は、宅内側装置１４から電源断通知がこなくても宅内側装置１４の電源断通知機能が異常とは判定しない。電源断通知機能試験を実行できない通知を受けた場合、局側装置１２の試験指示部２７は、時間をおいてから再度電源断通知機能試験を指示してもよい。
【００３７】
また、本実施形態において、局側装置１２の試験指示部２７は、宅内側装置１４と通信している主信号の有無を確認し、主信号の通信が無い場合に宅内側装置１４に電源断通知機能の試験を指示してもよい。この場合も、主信号処理が中断される事態を回避できる。
【００３８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００３９】
１０  通信システム、  １２  局側装置、  １３、２０  処理部、  １４  宅内側装置、  １５、１８  光モジュール、  １６  光ファイバ、  ２１  制御部、  ２３  通知部、  ２６  電源部、  ２７  試験指示部、  ２８  電源監視部、  ２９  判定部、  ３０  電源断通知用コンデンサ、  ３２  電源断部、  ３３  Ｐ型ＦＥＴ、  ３４  リセットＩＣ、  ３５  フォトカプラ。
【図１】
2014096652.tif 000003
【図２】
2014096652.tif 000004
【図３】
2014096652.tif 000005